(57)【要約】【課題】配線群を等長で短く設けるための領域を確保しつつ、導通不良の生じ難いコネクタジャックを備える電子機器を提供する。【解決手段】電子機器の一例であるデジタル一眼レフカメラは、ケーブルが挿入されるコネクタジャック２が実装される基板４を備え、基板４は、コネクタジャック２を経由して入出力される電気信号を伝達するために基板４の表面に形成された配線群４２と、基板４をカメラ本体１に固定するための貫通穴４１と、スリット４３とを有する。基板４には、コネクタジャック２、スリット４３、固定部４１がケーブル挿入方向にこの順序で配設され、スリット４３が配線群４２を分断しない構成とする。【選択図】図３
2015076438.tif 000002
【特許請求の範囲】
【請求項１】
ケーブルが挿入されるコネクタジャックを実装する基板を備える電子機器であって、
前記基板は、
前記コネクタジャックを経由して入出力される電気信号を伝達するために前記基板の表面に形成された配線群と、
前記基板を前記電子機器の内部に固定するための固定部と、
スリットとを有し、
前記基板には、前記コネクタジャック、前記スリット、前記固定部が前記ケーブルの挿入方向にこの順序で配設され、前記スリットが前記配線群を分断しないことを特徴とする電子機器。
【請求項２】
前記配線群は、前記コネクタジャックを前記ケーブルの挿入方向に投影した領域と前記ケーブルの挿入方向と直交する方向に前記スリットを延伸させた領域とが交わる領域を通過することを特徴とする請求項１に記載の電子機器。
【請求項３】
前記スリットの長手方向は、前記ケーブルの挿入方向と略直交する方向と平行であることを特徴とする請求項１又は２に記載の電子機器。
【請求項４】
前記基板は、少なくとも２つの前記スリットを有し、
前記少なくとも２つのスリットは、それぞれの中心が前記ケーブルの挿入方向と略直交する方向に延びる同一直線上に配置されるように設けられていることを特徴とする請求項１乃至３のいずれか１項に記載の電子機器。
【請求項５】
前記配線群は、前記のケーブルの挿入方向に延設されることを特徴とする請求項１乃至４のいずれか１項に記載の電子機器。
【請求項６】
前記基板は、前記ケーブルの挿入方向と直交する方向に前記スリットを延伸させた領域を包含し、該領域よりも広い非実装領域を有することを特徴とする請求項１乃至５のいずれか１項に記載の電子機器。
【請求項７】
前記スリットは、前記コネクタジャックの中心線に対して略線対称に設けられていることを特徴とする請求項１乃至６のいずれか１項に記載の電子機器。
【請求項８】
前記コネクタジャックを前記ケーブルの挿入方向に投影した領域に前記スリットが存在しないことを特徴とする請求項１乃至７のいずれか１項に記載の電子機器。
【発明の詳細な説明】
【技術分野】
【０００１】
本発明は、ケーブルが挿入されるコネクタジャックを備えた電子機器に関する。
【背景技術】
【０００２】
外部機器とデータ等の電気信号を入出力するためのコネクタジャックを備える電子機器が知られている。例えば、コネクタジャックは基板に実装され、コネクタジャックが実装された基板は、コネクタジャックのケーブル挿入口が電子機器の外装部材に形成した穴部から露出するように、電子機器の内部に配置される。
【０００３】
このような電子機器では、ケーブル装着状態でケーブルに足を引っ掛ける等の不注意によりコネクタジャックに過大な負荷が加わると、コネクタジャックと基板とを接合する半田に割れや剥離が生じ、導通不良が発生することがある。このような問題に対して、基板にスリットを設けることによって、導通不良の発生を防止する技術が提案されている（特許文献１参照）。
【先行技術文献】
【特許文献】
【０００４】
【特許文献１】特開２００３−２３４５４７号公報
【発明の概要】
【発明が解決しようとする課題】
【０００５】
しかしながら、上記特許文献１に開示された技術では、基板を固定するための固定部とコネクタジャックとの間にスリットを設けることにしか言及しておらず、具体的な位置関係について言及されていない。また、発明の変形例としての位置関係について言及している部分もあるが、次のような懸念がある。
【０００６】
具体的には、上記特許文献１には、コネクタジャックを挟むようにスリットを２つ設けることが記載されている。しかし、この構成では、コネクタジャック実装部周辺の基板剛性が低下するため、導通不良の発生を防止する効果が不十分となるおそれがある。
【０００７】
また、上記特許文献１には、導通不良の発生防止の効果を高める構成として、コネクタジャックを囲むようにスリットを設けることが記載されている。しかし、この構成には、スリット間の距離が狭く、配線群を設ける領域が確保し難いという問題や、配線群を迂回させる必要性が生じ、配線群の配線長が長くなってしまうという問題、配線群が分断されて等長配線とすることが難しくなる等の問題がある。
【０００８】
これらの問題は、高速通信を行うために、配線群を差動伝送可能な等長ペア配線とする際の支障となる。つまり、差動伝送を可能とする等長ペア配線の長さは、ノイズの影響を小さくし、電気的損失を小さくするために、できる限り短くすることが好ましいが、上記問題点は、短い等長ペア配線を設けることが難しいことを示している。
【０００９】
本発明は、配線群を等長で短く設けるための領域を確保しつつ、導通不良の生じ難いコネクタジャックを備える電子機器を提供することを目的とする。
【課題を解決するための手段】
【００１０】
本発明に係る電子機器はケーブルが挿入されるコネクタジャックを実装する基板を備える電子機器であって、前記基板は、前記コネクタジャックを経由して入出力される電気信号を伝達するために前記基板の表面に形成された配線群と、前記基板を前記電子機器の内部に固定するための固定部と、スリットとを有し、前記基板には、前記コネクタジャック、前記スリット、前記固定部が前記ケーブルの挿入方向にこの順序で配設され、前記スリットが前記配線群を分断しないことを特徴とする。
【発明の効果】
【００１１】
本発明では、ケーブルが挿入されるコネクタジャックが実装される基板に、コネクタジャック、スリット、基板を電子機器内部に固定するための固定部を、ケーブルの挿入方向にこの順序で配置し、スリットがコネクタジャックに接続される配線群を分断しない構成とする。これにより、コネクタジャックの配線群を等長で短く設けるための領域を確保することができる。また、コネクタジャックに負荷が掛かっても、スリットが形成されている領域で基板が変形することにより、コネクタジャックと配線群との間の半田付け部に加わる応力を低減させ、半田割れや剥離等の発生を防止することができる。その結果、導通不良を生じ難くすることができる。
【図面の簡単な説明】
【００１２】
【図１】本発明の実施形態に係るデジタル一眼レフカメラの外観を背面側から見た斜視図である。
【図２】図１のデジタル一眼レフカメラのカメラ本体の一部を分解して示す斜視図である。
【図３】図１のデジタル一眼レフカメラに実装される第１実施形態に係る基板であって、コネクタジャックが実装された状態を示す斜視図及び平面図である。
【図４】図３（ｂ）の基板に負荷が加わったときのＥ−Ｅ断面における基板の変形状態を模式的に示す図である。
【図５】図１のデジタル一眼レフカメラに実装される第２実施形態に係る基板の平面図であって、コネクタジャックの実装面側の平面図である。
【図６】図１のデジタル一眼レフカメラに実装される第３実施形態に係る基板の平面図であって、コネクタジャックの実装面側の平面図である。
【発明を実施するための形態】
【００１３】
以下、本発明の実施形態について、添付図面を参照して詳細に説明する。ここでは、本発明に係る電子機器の一例として、デジタル一眼レフカメラを取り上げることとするが、本発明はこれに限定されるものではない。
【００１４】
＜第１実施形態＞
図１は、本発明の実施形態に係るデジタル一眼レフカメラの外観を背面側から見た斜視図である。デジタル一眼レフカメラのカメラ本体１には、不図示の撮像レンズ（交換レンズ）が着脱可能となっている。また、カメラ本体１には、撮影画像や撮影動画を不図示の外部機器へ出力するためのコネクタジャック２が、カメラ本体１の側面に形成した穴部３から露出するように配置されている。本実施形態では、コネクタジャック２の例として、ＨＤＭＩ(登録商標)コネクタジャックを示すが、これに限定されるものではない。なお、カメラ本体１側面には、コネクタジャック２を使用しないときには、コネクタジャック２へのゴミ等の異物の侵入を防止するための不図示の蓋が取り付けられる。
【００１５】
図２は、カメラ本体１の一部を分解して示す斜視図である。コネクタジャック２は、基板４に半田付けによって基板４の一方の表面（実装面）に実装されている。なお、図２では省略しているが、基板４にはコネクタジャック２以外に、カメラ本体１及び撮像レンズの様々な制御を行うための電気素子や他の基板と接続するためのコネクタ等が実装される。基板４は、固定部としての４カ所の貫通穴４１を備え、貫通穴４１を用いて基板４をカメラシャーシ５にネジ止めすることで、基板４はカメラ本体１の内部に固定される。
【００１６】
図３（ａ）は、第１実施形態に係る基板４の斜視図であり、コネクタジャック２が実装された状態を示している。図３（ｂ）は、基板４におけるコネクタジャック２の実装面側の平面図であり、基板４に形成されるスリットの第１の例を示す図である。図３（ｃ）は、基板４に形成されるスリットの第２の例（変形例）を示す平面図である。
【００１７】
基板４には、コネクタジャック２を経由して入出力される映像や音声等の電気信号を対応する不図示の電気素子に伝達する配線群４２が設けられる。基板４には、ケーブル挿入方向に、コネクタジャック２、スリット４３、貫通穴４１がこの順序で配設される。スリット４３は、図３（ａ），（ｂ）に示すように、スリット４３の長手方向がケーブル挿入方向に対して略直交する方向と平行になるように設けることが好ましい。但し、これに限られるものではなく、図３（ｃ）の変形例に示すように、スリット４３の長手方向が任意の方向であっても構わない。
【００１８】
２つのスリット４３は、それぞれの中心４０１（図３（ｂ），（ｃ）に×印で示す）がケーブル挿入方向と略直交する方向に延びる同一直線上に配置されるように、設けられることが好ましい。また、２つのスリット４３は、コネクタジャック２の中心線４０２に対して略線対称となるように設け、コネクタジャック２をケーブル挿入方向に投影した領域Ａには存在しないことが好ましい。
【００１９】
スリット４３を図３に示した形態で配置する理由について、図４を参照して説明する。図４は、基板４に負荷が加わったときの、図３（ｂ）に示すＥ−Ｅ断面における基板４の変形状態を模式的に示す図である。図４では、コネクタジャック２に対して、不図示のケーブルから負荷Ｆが基板４の厚さ方向に加わることを想定している。
【００２０】
負荷Ｆによって基板４が変形する。基板４の変形は、貫通穴４１で固定された領域では生じず、貫通穴４１よりもコネクタジャック２に近い領域で生じる。本実施形態では、基板４においてコネクタジャック２の実装部周辺から離れた領域Ｃ周辺（図３（ｂ）参照）で、スリット４３の存在によって剛性が低下しているために変形が大きくなる。一方、基板４におけるコネクタジャック２の実装部周辺にはスリット４３が存在しないため、剛性が比較的高く、よって、基板４の変形は小さい。
【００２１】
コネクタジャック２の実装部から離れた位置で基板４の変形が大きくなると、この変形が不図示のケーブルから加わる力を吸収するため、基板４とコネクタジャック２との間の半田付け部に加わる応力を低減させる効果が得られる。また、基板４におけるコネクタジャック２の実装部周辺の変形が小さくなると、基板４とコネクタジャック２との間の半田付け部での応力の発生を抑制することができる。よって、本実施形態によれば、基板４とコネクタジャック２との間の半田付け部に加わる応力を低減させ、半田割れや剥離等の発生を防止することができ、その結果として導通不良の発生を低減させることができる。
【００２２】
また、コネクタジャック２を経由して入出力される電気信号を伝達する配線群４２は、高速通信を行う場合には、差動伝送を可能とする等長ペア配線とし、配線長をできる限り短くすることが好ましい。本実施形態では、このような配線を実現するために、配線群４２を分断しない位置にスリット４３を配置している。
【００２３】
図３（ｂ），（ｃ）に示すように、配線群４２は、ケーブル挿入方向に延設され、コネクタジャック２をケーブル挿入方向に投影した領域Ａとケーブル挿入方向と直交する方向にスリット４３を延伸させた領域Ｂとが交わる領域Ｃを通過することが好ましい。これにより、配線群４２は、スリット４３に妨げられることなく、スリット４３を挟んでコネクタジャック２とはケーブル挿入方向において反対側となる領域に、短い配線長で配線することができる。更に、基板４において、ケーブル挿入方向と直交する方向にスリット４３を延伸させた領域Ｂを包含し、この領域Ｂよりも広い領域Ｄを電気素子等の実装部品の非実装領域とすることが好ましく、これにより実装部品の脱落等を予防することができる。
【００２４】
＜第２実施形態＞
第２実施形態についての以下の説明では、上記第１実施形態との相違点を中心に説明することとし、上記第１実施形態と同一の内容については説明を省略する。図５は、第２実施形態に係る基板４の平面図であって、コネクタジャック２の実装面側の平面図である。
【００２５】
本実施形態では、コネクタジャック２が基板４の中心に対して偏った位置に設けられているため、第１実施形態のように２つのスリット４３を設けることは難しい。この場合、１つのスリット４３を、基板４の端部に、ケーブル挿入方向と略直交する方向に設ける。このとき、コネクタジャック２、スリット４３、貫通穴４１は、ケーブル挿入方向においてこの順序で配置される。これにより、基板４におけるコネクタジャック２の実装部から離れた位置での剛性を低下させることができるため、第１実施形態と同様に、導通不良の発生を防止することができ、また、短い配線長での等長ペア配線も可能となる。
【００２６】
＜第３実施形態＞
第３実施形態についての以下の説明では、上記第１実施形態との相違点を中心に説明することとし、上記第１実施形態と同一の内容については説明を省略する。図６は、第３実施形態に係る基板４の平面図であって、コネクタジャック２の実装面側の平面図である。
【００２７】
本実施形態では、基板４に２つのコネクタジャック２，６が実装されている。図６には、一例として、コネクタジャック２としてＨＤＭＩ(登録商標)コネクタジャックが、コネクタジャック６としてＵＳＢコネクタジャックがそれぞれ示されている。コネクタジャック２，６、スリット４３、貫通穴４１は、ケーブル挿入方向においてこの順序で配置される。基板４には、コネクタジャック２，６を経由して入出力される電気信号を伝達するための配線群４２，４４が設けられており、配線群４２，４４はそれぞれコネクタジャック２，６に接続されている。
【００２８】
本実施形態のように複数のコネクタジャック２，６が設けられている場合、図６に示すように、コネクタジャック２，６間にスリット４３を設ける。これにより、基板４におけるコネクタジャック２，６の実装部から離れた位置での基板４の剛性を低下させることができる。したがって、本実施形態でも、第１実施形態と同様に、導通不良の発生を防止することができ、また、短い配線長での等長ペア配線も可能となる。
【００２９】
なお、複数（ここでは３つ）のスリット４３の長手方向はケーブル挿入方向と直交する方向と平行であることが好ましいが、複数のスリット４３の少なくとも１つの長手方向は任意方向となっていてもよい。
【００３０】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。上記実施形態では、本発明に係る電子機器として、デジタル一眼レフカメラを取り上げたが、本発明はこれに限定されるものではなく、コネクタジャックを実装した基板を備える各種の電子機器に適用される。本発明が適用される電子機器としては、他に、コンパクトデジタルカメラ、デジタルビデオカメラ、プリンタ、液晶モニタ、パーソナルコンピュータ等が挙げられる。
【符号の説明】
【００３１】
１    カメラ本体
２，６    コネクタジャック
４    基板
４１    貫通穴（固定部）
４２，４４    配線群
４３    スリット
【図１】
2015076438.tif 000003
【図２】
2015076438.tif 000004
【図３】
2015076438.tif 000005
【図４】
2015076438.tif 000006
【図５】
2015076438.tif 000007
【図６】
2015076438.tif 000008